(57)【特許請求の範囲】
【請求項１】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に商品情報を配信することを特徴とする商品所在情報配信サービス装置。
【請求項２】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に商品情報を配信することを特徴とする商品所在情報配信サービス装置。
【請求項３】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に商品情報を配信することを特徴とする商品所在情報配信サービス装置。
【請求項４】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス装置。
【請求項５】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス装置。
【請求項６】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス装置。
【請求項７】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス装置。
【請求項８】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス装置。
【請求項９】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス装置。
【請求項１０】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする商品所在情報配信サービス装置。
【請求項１１】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする商品所在情報配信サービス装置。
【請求項１２】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする商品所在情報配信サービス装置。
【請求項１３】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス装置。
【請求項１４】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス装置。
【請求項１５】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス装置。
【請求項１６】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス装置。
【請求項１７】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス装置。
【請求項１８】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス装置。
【請求項１９】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に商品情報を配信することを特徴とする商品所在情報配信サービス方法。
【請求項２０】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に商品情報を配信することを特徴とする商品所在情報配信サービス方法。
【請求項２１】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に商品情報を配信することを特徴とする商品所在情報配信サービス方法。
【請求項２２】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【請求項２３】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【請求項２４】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【請求項２５】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【請求項２６】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【請求項２７】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【請求項２８】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする商品所在情報配信サービス方法。
【請求項２９】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする商品所在情報配信サービス方法。
【請求項３０】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする商品所在情報配信サービス方法。
【請求項３１】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【請求項３２】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【請求項３３】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【請求項３４】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【請求項３５】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【請求項３６】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【請求項３７】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする商品所在情報配信サービス装置。
【請求項３８】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする商品所在情報配信サービス装置。
【請求項３９】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする商品所在情報配信サービス装置。
【請求項４０】
移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする商品所在情報配信サービス方法。
【請求項４１】
移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする商品所在情報配信サービス方法。
【請求項４２】
移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする商品所在情報配信サービス方法。
【発明の詳細な説明】
【０００１】
【発明の属する技術分野】
本発明は商品所在情報配信サービス装置と方法に関し、特に移動端末の位置登録エリア内にある契約店舗の在庫データを調べ、ユーザーが欲する商品の販売店情報をユーザーに知らせ、欲しい商品を入手できることを可能とする商品所在情報配信サービス装置と方法に関する。
【０００２】
【従来の技術】
従来技術として、特開平８−１８０１０１号公報（店舗情報伝達システムおよび店舗情報生成装置）に記載されている。
【０００３】
この従来技術の店舗情報伝達システムは、商品情報やサービス情報等を無線を使用して、リアルタイムに店舗から利用者へ伝達するものである。
【０００４】
この店舗情報伝達システムは、図４は従来の店舗情報伝達システムのブロック図を示すものであるが、図４に示すように、店舗内に設けられた店舗情報生成装置８と、この店舗情報生成装置８によって生成された店舗情報を無線信号４として店舗外へ送信する送信装置６と、この送信装置６から送信された店舗情報を受信可能範囲内において受信する受信装置３とを備えている。
【０００５】
上記の店舗情報生成装置としては、電子式キャッシュレジスタ１０の取引データとコンピュータ１１の入力データとを利用して店舗情報を生成するように構成することができる。
【０００６】
また、送信装置６は送信データをパケット送信するように構成することができる。
【０００７】
さらに、受信装置３としては、携帯端末型や自動車搭載型のものを採用することができる。そして、前者の場合は携帯電話に本発明の受信装置３としての機能を持たせることができ、後者の場合は情報報知手段としてカーナビゲーションシステムの画面をそのまま利用することができる。
【０００８】
また、店舗情報生成装置８は、図４に示すように、店舗内の売場に設置された電子式キャッシュレジスタ１０と、この電子式キャッシュレジスタ１０の取引データを格納する第１の記憶装置Ｍ１と、前記電子式キャッシュレジスタ１０に接続されたコンピュータ１１と、このコンピュータ１１へデータを入力するための入力手段９と、前記コンピュータ１１の入力データを格納する第２の記憶装置Ｍ２と、前記第１、第２の記憶装置のデータにもとづいて前記コンピュータ１１が編集した提供情報１６を店舗情報として外部装置（ここでは送信装置６）へ供給するものである。
【０００９】
ここで、上記コンピュータ１１は、電子式キャッシュレジスタを管理するストアコンピュータで構成することができる。
【００１０】
作用として、店舗情報伝達システムにおいては、店舗情報生成装置が店舗情報を生成し、これを送信装置に供給する。送信装置は店舗情報を無線信号として店舗外の受信装置へ送信する。受信装置は受信可能範囲内にあれば、送信装置からの店舗情報を受信して利用者に報知する。店舗に設置された送信装置から送信される無線信号の到達距離は限られているので、受信装置はその場所に応じて、異なった店舗の送信装置からの無線信号を受信する。
【００１１】
また、店舗情報生成装置においては、電子式キャッシュレジスタの第１の記憶装置の取引データとコンピュータの第２記憶装置の入力データにもとづいて、コンピュータが提供情報を編集する。この提供情報は任意の時点で必要な情報が読み出されて店舗情報として外部装置へ供給される。この店舗情報は、コンピュータに入力するデータを変更することにより、種々の可変情報として提供することができる。
【００１２】
以下、店舗情報伝達システムの実施例を説明する。図３は、本発明にかかる店舗情報伝達システムの概略運用図を示す。図は、２つの店舗１、１ｂが面する街路を利用者５が歩行している状態を示している。受信装置３は利用者５が所持する携帯型の受信装置である。送信装置６は各店舗１、１ｂに設置されて、店舗情報、例えば店舗の商品情報やサービス情報等を受信装置３へ送信する。図中の矢印は送信装置６から送信される無線信号４を示すもので、双方向の矢印は受信装置３と送信装置６の双方間で送受信していることを示している。図３では、受信装置３を所持している利用者５は、店舗Ａ（１）の送信装置６から無線信号４によって店舗情報、例えば商品情報やサービス情報を受け取っている。７は受信装置３の受信可能範囲であって、この受信可能範囲７は店舗Ａ（１）に設置された送信装置６からの無線信号４の到達範囲を示す。上記受信可能範囲７内に受信装置３が存在すると、受信装置３は送信装置６からの情報を取得することができる。ゆえに、利用者５が店舗Ａ（１）から情報を受け取るためには、店舗Ａ（１）の直近にいる必要はなく、受信可能範囲７内にいればよい。なお、図３において、受信装置３を所持している利用者は、店舗Ａ（１）からの情報のみ受信しており、店舗Ｂ（１ｂ）からの情報を受信していない。店舗Ｂ（１ｂ）から情報を受信するためには、受信装置３を所持している利用者５が店舗Ｂ（１ｂ）からの無線信号の受信可能範囲７ｂへ移動すればよい。
【００１３】
図４は、店舗情報伝達システムのブロック図を示す。本システムは、送信装置６と、受信装置３と、店舗情報生成装置８とから構成される。送信装置６と受信装置３とは無線信号４によって相互に情報伝達できるようになっている。また、送信装置６は、送信処理の許可を設定する送信スイッチ６ａを備えている。送信装置６は店舗情報生成装置８に接続されている。店舗情報生成装置８は、店舗の売場に設置された複数台の電子式キャッシュレジスタ（以下ＥＣＲと略す）１０とコンピュータ１１とを含んでいる。そして、コンピュータ１１はＥＣＲ１０と送信装置６に接続されている。送信装置６から発せられる店舗情報はコンピュータ１１を介して伝送される。
【００１４】
本実施例の店舗情報伝達システムが取り扱う店舗情報には、ＥＣＲ１０が処理するものとコンピュータ１１が処理するものとがある。ＥＣＲ１０が処理するものは、ＥＣＲの売上データ１４、価格情報１５等の取引データである。ここで、ＥＣＲの売上データ１４はＥＣＲ１０の商品登録や金銭処理の結果を蓄積したものであり、売れ筋価格情報１５は特売やタイムサービスなどの対象となる商品の価格の参照に使用される。これらの売上データ１４および価格情報１５は、ＥＣＲ１０の記憶装置Ｍ１に格納されている。売上データ１４は適宜、コンピュータ１１に送信される。
【００１５】
一方、コンピュータ１１が処理するものは、特売品の品名、価格、売場等の特売情報１７、タイムサービス品の割引価格帯や価格等のタイムサービス情報１８、催し物の開催等に関する予告情報１９、特売日や曜日を設定したカレンダー情報２０、天気情報２１、全商品の価格情報２２、各ＥＣＲ１０から送信された各売上データ１４が集計された全ＥＣＲの売上データ２３である。これら各種情報のうち１７〜２２はコンピュータ１１によって、例えばキーボード等の入力装置１３やフロッピーディスク等のデータ媒体１２などの入力手段９によって入力される。これらの情報は記憶装置Ｍ２に格納される。全商品の価格情報２２は、特売やタイムサービスなどの対象となる商品の価格の参照に使用される。また、全ＥＣＲの売上データ２３は、送信装置６から情報として利用者に流すべきかどうかをチェックするのに使用される。
【００１６】
上記のＥＣＲ１０とコンピュータ１１が処理する各データは、コンピュータ１１で、送信装置６から情報伝達したい情報に編集されて、いったん提供情報１６として、コンピュータ１１の記憶装置Ｍ２に記憶される。この提供情報１６が送信装置６によって自動的に無線信号４として店舗外へ送信される。送信装置６はコンピュータ１１からの命令によって制御されるため、提供情報１６が変更されれば、その変更は送信装置６の送信データに反映される。例えば、タイムサービスの時刻になると、コンピュータ１１は、提供情報１６から、タイムサービスに関する商品情報等を新たに読み出して送信装置６へ出力し、送信装置６によって、受信装置３へタイムサービス情報が伝達される。また予告情報１９も、予告の時期に連動して送信装置６から送信される。また、ある商品が売り切れになると全ＥＣＲの売上データ２３の中にその旨の情報が入るので、提供情報１６の内容が変更され、たとえその商品が特売やサービスタイムの対象品であっても、店舗情報としては流さないようにする。
【００１７】
図５は従来の携帯端末型の受信装置を示す。この携帯端末型の受信装置３は画面３０、スピーカ３１、受信スイッチ３２、通話スイッチ３３を備えている。図５では画面３０に受信した店舗情報を表示している。各店舗は送信装置６から情報を送信する際に、識別番号や店舗名を含む店舗識別情報も一緒に送信するので、送信装置６から送られてくる識別情報により、送信店舗が画面３０に表示される。図５では「○○百貨店」が送信店舗である。また画面３０は店舗からの商品情報やサービス情報等を表示する。表示する情報は文字データである必要はなく、画像データを表示することも可能である。この携帯端末型の受信装置３は人が携帯してもよいし、自動車等に搭載されて使用してもよい。また、受信した情報はスピーカ３１から音声情報として得ることもできるので、視覚障害者に対しても有効である。受信スイッチ３２は、店舗情報を、受信する状態にするかどうかを設定するためのもので、この受信スイッチ３２を押すことによって、受信装置３は受信可能状態となる。なお、この受信可能状態においては、受信装置３は固有の識別情報（識別番号等）を送信する。そして、通話スイッチ３３がＯＮの場合に、はじめて店舗情報を受信することができる。通話スイッチ３３がＯＦＦの場合は、店舗情報を受信しない。
【００１８】
図６は電話型の受信装置を示す。携帯電話を用いた受信装置３を示し、携帯電話を用いた受信装置３には、画面３４、ボタン３５、マイク３６、スピーカ３８、受信スイッチ３７、通話スイッチ３９が装備されている。送信装置６から送られてくる識別情報や商品情報等により、画面３４は図５に示したものと同様の文字情報を表示する。なお、この例では画面３４の大きさが小さく、一度に全部の情報を表示できないため、ボタン３５の一部を操作することにより表示情報を順次切換られるようにしてある。また、図５と同様にスピーカから音声情報も同時に得られるようにしてある。マイク３６は、この端末を電話機として使用するときに用いるものである。受信スイッチ３７は、各店舗情報を受信状態にするかどうかを設定するためのものである。そして、通話スイッチ３９がＯＮの場合に、はじめて店舗情報を受信することができる。通話スイッチ３９がＯＦＦの場合は、店舗情報を受信しない。
【００１９】
【発明が解決しようとする課題】
上述した従来の店舗情報伝達システムおよび店舗情報生成装置は、
第１の問題点は、自分が欲しい商品情報やサービス情報等を得ることができない。
【００２０】
その理由は、店舗から店舗情報を一方的に発信していて利用者側から選択できないからである。
【００２１】
第２の問題点は、自分が欲しい商品情報やサービス情報等を得るためには自分で移動しながら捜しまわらなくればならなかった。
【００２２】
その理由は、店舗から店舗情報が無線により発信されていて利利用者は店舗から発信される無線信号の受信可能範囲にいなければ情報を受信することができないからである。
【００２３】
第３の問題点は、自分が欲しい商品情報やサービス情報等を得ても直に商品を確保できない。
【００２４】
その理由は、店舗から店舗情報を一方的に発信していて利用者側から要求できないからである。
【００２５】
本発明の目的は、移動端末の位置登録エリア内にある契約店舗の在庫データを調べ、利用者が欲する商品の販売店情報を利用者に知らせることにより、利用者が無駄に労力を費やすことなく欲しい商品を直に入手できることを可能とする商品所在情報配信サービス装置と方法を提供することにある。
【００２６】
【課題を解決するための手段】
第１の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に商品情報を配信することを特徴とする。
【００２７】
また、第２の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に商品情報を配信することを特徴とする。
【００２８】
また、第３の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に商品情報を配信することを特徴とする。
【００２９】
また、第４の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする。
【００３０】
また、第５の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする。
【００３１】
また、第６の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする。
【００３２】
また、第７の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする。
【００３３】
また、第８の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする。
【００３４】
また、第９の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする。
【００３５】
また、第１０の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする。
【００３６】
また、第１１の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする。
【００３７】
また、第１２の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする。
【００３８】
また、第１３の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする。
【００３９】
また、第１４の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする。
【００４０】
また、第１５の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする。
【００４１】
また、第１６の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする。
【００４２】
また、第１７の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする。
【００４３】
また、第１８の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする。
【００４４】
また、第１９の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に在庫データ情報を配信することを特徴とする商品所在情報配信サービス方法。
【００４５】
また、第２０の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に在庫データ情報を配信することを特徴とする商品所在情報配信サービス方法。
【００４６】
また、第２１の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、サーバーから移動端末に在庫データ情報を配信することを特徴とする商品所在情報配信サービス方法。
【００４７】
また、第２２の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【００４８】
また、第２３の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【００４９】
また、第２４の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【００５０】
また、第２５の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【００５１】
また、第２６の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【００５２】
また、第２７の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信することを特徴とする商品所在情報配信サービス方法。
【００５３】
また、第２８の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする商品所在情報配信サービス方法。
【００５４】
また、第２９の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする商品所在情報配信サービス方法。
【００５５】
また、第３０の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信し、移動端末から商品を発注することを特徴とする商品所在情報配信サービス方法。
【００５６】
また、第３１の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【００５７】
また、第３２の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【００５８】
また、第３３の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【００５９】
また、第３４の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【００６０】
また、第３５の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【００６１】
また、第３６の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースと、サーバにアクセスしてきた移動端末の電話番号、位置情報を収容した登録移動端末情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局、インターネットを経由して受信し、移動端末の電話番号とともに登録移動端末情報データベースに記憶し、サーバーは移動端末の電話番号とともに登録移動端末情報データベースに記憶した位置情報と同じ在圏エリア内にある商品の在庫情報を入手するために、商品情報をもとに商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから調べ、商品情報要求時要求した商品情報の在庫がない場合、登録維持として移動端末の位置情報および電話番号とともに商品情報を登録移動端末情報データベースに記憶し、サーバーに商品情報要求を登録し、サーバーは登録維持されている移動端末の位置情報および商品の在庫情報を一定周期で監視し、移動端末が在圏エリアを変更するたびに、商品情報データベースから移動端末の位置情報と同じ在圏エリア内にある商品を取扱っている店舗を抽出し、抽出した店舗をもとに店舗位置情報データベースから店舗の位置情報および商品在庫情報データベースのアドレスを得て、商品在庫情報データベースにアクセスし、移動端末の要求した商品の在庫情報を商品在庫情報データベースから取得し、商品在庫情報データベースから商品情報の在庫が発生した時、サーバーは登録移動端末情報データベースに記憶した移動端末の電話番号により登録した移動端末を移動通信交換局から基地局を経て移動端末を呼び返し、サーバーから移動端末に在庫データ情報を配信し、移動端末から商品を発注することを特徴とする商品所在情報配信サービス方法。
【００６２】
また、第３７の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする。
【００６３】
また、第３８の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする。
【００６４】
また、第３９の発明の商品所在情報配信サービス装置は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする。
【００６５】
また、第４０の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続されるか、もしくはインターネットを経て移動通信交換局に接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接、もしくはインターネットを経て、サーバーに延長され、サーバーは移動端末の位置情報を位置情報検知システムから移動通信交換局を経由して直接、もしくはインターネットを経由して受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする商品所在情報配信サービス方法。
【００６６】
また、第４１の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局に直接接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムで、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局から直接サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする商品所在情報配信サービス方法。
【００６７】
また、第４２の発明の商品所在情報配信サービス方法は、移動端末により基地局を経て移動通信交換局に接続し、移動端末の位置を移動通信交換局に接続した位置情報検知システムに記録し、商品情報を提供するサーバーは、移動通信交換局を経てインターネットに接続され、移動端末からサーバーにアクセスし、サーバーは商品情報とその商品を保有する契約店舗情報を収容した商品情報データベースと、契約店舗の商品の在庫状況を収容した複数の契約店舗に対応した商品在庫情報データベースと、契約店舗に対応した前記商品在庫情報データベースの契約店舗の契約店舗の位置情報およびアドレスを収容した店舗位置情報データベースとで構成したシステムにおける商品所在情報配信サービス方法であって、
移動端末は在圏エリア内で、在圏エリア内にある商品情報を入手するために、移動端末からサーバーに商品情報を要求し、移動端末から基地局を経て、移動端末の位置を基地局を経て位置情報検知システムに記録している移動通信交換局に接続し、接続が移動通信交換局からインターネットを経て、サーバーに延長され、サーバーは移動端末の位置情報を位置情報検知システムから移動通信交換局を経由して直接受信し、サーバーは商品情報データベースから移動端末の位置情報と同じ在圏エリア内にあって、要求されている商品情報に対応する商品を取扱っている店舗を抽出し、前記店舗に対応する前記商品情報を商品在庫情報データベースから取得し、サーバーから移動端末に商品情報を配信することを特徴とする商品所在情報配信サービス方法。
【００６８】
【発明の実施の形態】
次に、本発明の実施の形態について図面を参照して説明する。
【００６９】
図１は本発明の商品所在情報配信サービス装置と方法の一実施の形態を示すブロック図である。
【００７０】
図１を参照すると、利用者はインターネットなどにアクセスできる移動端末１により基地局２を経て移動通信交換局３に接続する。移動通信交換局３は移動端末１の位置を基地局２を経て位置情報検知システム４に記録している。この接続にに於いて商品情報（商品名、商品の特徴、標準価格など）を提供するサーバー５は移動通信交換局３に直接接続されている形態と、インターネット１１を経て移動通信交換局３に接続されている形態とがある。
【００７１】
サーバー５が移動通信交換局３に直接接続されている形態であれば、利用者は移動端末１からサーバー５に与えられた電話番号をダイアルすることによりサーバー５にアクセスする。またサーバー５がインターネット１１を経て移動通信交換局３に接続されている形態であれば、先ず利用者は移動端末１からインターネット１１への接続するアクセスポイントの電話番号をダイアルし、その後インターネット１１へのログイン情報およびサーバー５へのＵＲＬ情報によりサーバー５にアクセスする。
【００７２】
サーバー５は、商品名、商品の特徴、標準価格などの商品情報とその商品を保有する店舗情報を収容した商品情報データベース６と、店舗の位置情報および商品在庫情報データベース８，９，１０等の契約店舗のアドレスを収容した店舗位置情報データベース７と、店舗の商品の在庫状況を収容した商品在庫情報データベース８，９，１０の各々と、サーバー５にアクセスしてきた移動端末１の電話番号、位置情報を収容した登録移動端末情報データベース１２と、で構成されている。
【００７３】
次に、本発明の実施の形態の動作について、図２を参照して詳細に説明する。
【００７４】
図２は本発明の商品所在情報配信サービス装置と方法の一実施の形態の動作の経路を示す図である。
【００７５】
利用者は在圏エリアＡ内で、在圏エリアＡ内にある商品の在庫情報を入手するために、移動端末１から（経路Ｒ１）基地局２を経て（経路Ｒ２）移動通信交換局３に接続する。接続は移動通信交換局３からインターネット１１を経てサーバー５に延長される（経路Ｒ３）。このときサーバー５は移動端末１の位置情報を位置情報検知システム４から移動通信交換局３、インターネット１１を経由して受信し（経路Ｒ５）、移動端末１の電話番号とともに登録移動端末情報データベース１２に記憶する（経路Ｒ１１）。
【００７６】
サーバー５に接続がされたことで、利用者は、在圏エリアＡ内にある商品の在庫情報を入手するために、自分が欲しい商品名、商品の特徴、標準価格などの情報を移動端末１から入力する。
【００７７】
サーバー５は移動端末１の電話番号とともに登録移動端末情報データベース１２に記憶した位置情報と同じ在圏エリアＡ内にある商品の在庫情報を入手するために、商品名、商品の特徴、標準価格などの商品情報をもとに商品情報データベース６から移動端末１の位置情報と同じ在圏エリアＡ内にあるその商品を取扱っている店舗を抽出し（経路Ｒ４）、抽出した店舗をもとに店舗位置情報データベース７から店舗の位置情報および商品在庫情報データベース８，９，１０のアドレスを得て（経路Ｒ６）、商品在庫情報データベース８，９，１０にアクセスし、利用者の要求した商品の在庫情報を商品在庫情報データベース８，９，１０から取得する（経路Ｒ７）。
【００７８】
商品の在庫が見つかった場合は、利用者に、その店舗情報（店名、所在地、連絡先など）と商品情報（商品名、売値など）をショートメッセージなどを使って知らせる（経路Ｒ８，Ｒ９，Ｒ１０）。利用者は、その店舗情報（店名、所在地、連絡先など）と商品情報（商品名、売値など）のショートメッセージが移動端末１に表示されることで自分の欲する商品の在庫情報を入手することができる。
【００７９】
また、商品の在庫が見つからなかった場合は、利用者にその旨を伝え、欲しい商品の登録を維持するかどうかの確認を行い、通信を打ち切る。登録維持を希望した場合は、登録維持として移動端末１の位置情報および電話番号とともに商品情報が登録移動端末情報データベース１２に記憶される（経路Ｒ１１）。
【００８０】
サーバー５は登録維持されている移動端末１の位置情報および商品の在庫情報を一定周期で監視する。
【００８１】
利用者が登録時と同じ在圏エリアＡ内にいる場合で、商品在庫情報データベース８，９，１０の中から商品の在庫が見つかった場合は、サーバー５は登録移動端末情報データベース１２に記憶した移動端末１の電話番号により登録した移動端末１を移動通信交換局３から（経路Ｒ８）基地局２を経て（経路Ｒ９）移動端末１を呼び返し（経路Ｒ１０）、店舗情報（店名、所在地、連絡先など）と商品情報（商品名、売値など）のショートメッセージが移動端末１に表示されることで商品の在庫情報が通知される。
【００８２】
また、利用者が在圏エリアを変更するたびに、サーバー５は、そのエリア内の店舗の商品在庫情報データを調べる。例えば、移動端末１が在圏エリアＡから変在圏エリアＢに移動した場合、商品情報をもとに商品情報データベース６から移動端末１の位置情報と同じ在圏エリアＢ内にあるその商品を取扱っている店舗を抽出し（経路Ｒ４）、抽出した店舗をもとに店舗位置情報データベース７から店舗の位置情報および商品在庫情報データベース８，９，１０のアドレスを得て（経路Ｒ６）、商品在庫情報データベース８，９，１０にアクセスし、利用者の要求した商品の在庫情報を商品在庫情報データベース８，９，１０から取得し（経路Ｒ７）、商品在庫情報データベース８，９，１０の中から商品の在庫が見つかった場合は、サーバー５は登録移動端末情報データベース１２に記憶した移動端末１の電話番号により（経路Ｒ１１）登録した移動端末１を移動通信交換局３から（経路Ｒ８）基地局２を経て（経路Ｒ９）移動端末１を呼び返し（経路Ｒ１０）、店舗情報（店名、所在地、連絡先など）と商品情報（商品名、売値など）のショートメッセージが移動端末１に表示されることで商品の在庫情報が通知される。
【００８３】
以上のように商品の在庫情報を入手することで、移動端末１を使用し在圏エリア内の店舗の在庫情報を得た利用者はその場で移動端末１から商品を発注し、直に商品の確保ができるようにすることもできる。
【００８４】
【発明の効果】
以上説明したように、本発明の商品所在情報配信サービス装置と方法は、
第１の効果は、どこにいても近辺の自分が欲しい商品情報やサービス情報等を得ることができる。
【００８５】
その理由は、移動端末を使用し在圏エリア内の店舗にアクセスできるからである。
【００８６】
第２の効果は、自分が欲しい商品情報やサービス情報等を得るために自分で移動しながら捜しまわらなくてもよい。
【００８７】
その理由は、移動端末を使用し在圏エリア内の全の店舗にアクセスできるからである。
【００８８】
第３の効果は、自分が欲しい商品情報やサービス情報等を得て直に商品を確保できる。
【００８９】
その理由は、移動端末を使用し在圏エリア内の店舗の在庫情報を得てその場で移動端末から発注することができるからである。
【図面の簡単な説明】
【図１】本発明の商品所在情報配信サービス装置と方法の一実施の形態を示すブロック図である。
【図２】本発明の商品所在情報配信サービス装置と方法の一実施の形態の動作の経路を示す図である。
【図３】従来の店舗情報伝達システムの概略運用図を示す。
【図４】従来の店舗情報伝達システムのブロック図を示す。
【図５】従来の携帯端末型の受信装置を示す。
【図６】従来の電話型の受信装置を示す。
【符号の説明】
１    移動端末
２    基地局
３    移動通信交換局
４    位置情報検知システム
５    サーバー
６    商品情報データベース
７    店舗位置情報データベース
８，９，１０    商品在庫情報データベース
１１    インターネット
１２    登録移動端末情報データベース
【図１】
0003587142.tif 000002
【図２】
0003587142.tif 000003
【図３】
0003587142.tif 000004
【図４】
0003587142.tif 000005
【図５】
0003587142.tif 000006
【図６】
0003587142.tif 000007